(57)【特許請求の範囲】
【請求項１】
断熱箱体上面の開口を引き違い式の上扉及び下扉にて開閉自在に閉塞して成る冷却庫において、
前記断熱箱体の開口に形成され、前記上扉が摺動自在に取り付けられる上レールと、該上レールより内側下方に形成され、前記下扉が摺動自在に取り付けられる下レールとを備え、前記両扉は矩形状を呈し、その長辺の寸法Ｌ１を前記上レールに取付可能な寸法とし、短辺の寸法Ｌ２を前記下レールに取付可能な寸法とすると共に、寸法Ｌ１＋寸法Ｌ２が前記上レールの長手方向の一側から前記下レールの長手方向の他側までの寸法Ｌ３より大きくなるよう構成したことを特徴とする冷却庫。
【請求項２】
前記両扉の上面周囲に手掛部を形成したことを特徴とする請求項１に記載の冷却庫。
【発明の詳細な説明】
【技術分野】
【０００１】
本発明は、断熱箱体の上面開口を引き違い式の上扉と下扉にて開閉自在に閉塞して成る冷却庫に関するものである。
【背景技術】
【０００２】
従来より氷やアイスクリームなどの冷菓を収納する冷凍ストッカーと称される冷却庫は、上面に開口する断熱箱体内に貯蔵室が構成され、この断熱箱体の上面開口には引き違い式の上扉と下扉にて開閉自在に閉塞していた（例えば、特許文献１参照）。また、冷凍ストッカーでは貯蔵室の内壁面に着霜が成長するため、定期的に霜を除去する必要があるが、通常は備え付けのヘラで霜を掻き落としていた。
【０００３】
また、上扉は開口の上レールに摺動自在に保持され、下扉は上レールより内側で且つ下方に形成された平行な下レールに摺動自在に保持される関係上、従来では上扉と下扉で異なる寸法の矩形状断熱板材が使用されていた。
【０００４】
【特許文献１】特開平１１−２４１８７９号公報
【発明の開示】
【発明が解決しようとする課題】
【０００５】
しかしながら、従来では霜除去用のヘラが付属品として同梱されていただけのため、紛失してしまう危険性があった。また、上扉と下扉とで異なる寸法の矩形状断熱板材を製造しなければならなかったため、生産コストが高騰する問題があった。
【０００６】
本発明は、係る従来の技術的課題を解決するために成されたものであり、霜除去用のヘラの紛失を未然に回避することができる冷却庫を提供するものである。また、本発明のもう一つの目的は、扉にかかる生産コストを削減することにある。
【課題を解決するための手段】
【０００７】
請求項１の発明の冷却庫は、断熱箱体上面の開口を引き違い式の上扉及び下扉にて開閉自在に閉塞して成るものであって、断熱箱体の開口に形成され、上扉が摺動自在に取り付けられる上レールと、この上レールより内側下方に形成され、下扉が摺動自在に取り付けられる下レールとを備え、両扉は矩形状を呈し、その長辺の寸法Ｌ１を上レールに取付可能な寸法とし、短辺の寸法Ｌ２を下レールに取付可能な寸法とすると共に、寸法Ｌ１＋寸法Ｌ２が上レールの長手方向の一側から下レールの長手方向の他側までの寸法Ｌ３より大きくなるよう構成したことを特徴とする。
【０００８】
請求項２の発明の冷却庫は、上記において両扉の上面周囲に手掛部を形成したことを特徴とする。
【発明の効果】
【０００９】
請求項１の発明では、断熱箱体上面の開口を引き違い式の上扉及び下扉にて開閉自在に閉塞して成る冷却庫において、断熱箱体の開口に形成され、上扉が摺動自在に取り付けられる上レールと、この上レールより内側下方に形成され、下扉が摺動自在に取り付けられる下レールとを備え、両扉は矩形状を呈し、その長辺の寸法Ｌ１を上レールに取付可能な寸法とし、短辺の寸法Ｌ２を下レールに取付可能な寸法とすると共に、寸法Ｌ１＋寸法Ｌ２が上レールの長手方向の一側から下レールの長手方向の他側までの寸法Ｌ３より大きくなるよう構成したので、上扉と下扉として同一の扉を使用し、それらの向きを９０度変更するだけで開口を開閉自在に閉塞することができるようになり、扉にかかる生産コストの著しい削減を図ることができるようになる。
【００１０】
請求項２の発明では、上記に加えて両扉の上面周囲に手掛部を形成したので、上扉と下扉の何れに使用されたとしても、それらの向きに係わらず手掛部に手を掛けて支障無く開閉することができるようになるものである。
【発明を実施するための最良の形態】
【００１１】
次に、図面に基づき本発明の実施形態を詳述する。
【００１２】
図１及び図２は本発明を適用した冷却庫の実施例としての冷凍ストッカー１の斜視図、図３は同冷凍ストッカー１の縦断正面図、図４は同冷凍ストッカー１の縦断側面図、図５は上扉２の裏面斜視図、図６は上扉２の縦断側面図、図７は上扉２の縦断正面図、図８は上扉２の分解裏面斜視図である。
【００１３】
実施例の冷凍ストッカー１は、例えば氷やアイスクリームを収納して冷凍貯蔵するための冷却庫であり、上面に開口する断熱箱体４内に貯蔵室６が構成されている。断熱箱体４の上面開口内側には上レール７が形成され、この上レール７の内側下方には下レール８が形成され、上面開口部は全体としては断面階段状を呈している。この下レール８に矩形状の下扉３が摺動自在に取り付けられると共に、上レール７に矩形状の上扉２が摺動自在に取り付けられる。これら上扉２及び下扉３は引き違い式とされて断熱箱体４の上面開口を開閉自在に閉塞する。
【００１４】
尚、９はコンプレッサであり、貯蔵室６下方の機械室１１内に設置されている。このコンプレッサ９は図示しないコンデンサと減圧装置、更に、貯蔵室６の内壁外側に添設された蒸発器と共に周知の冷媒回路を構成する。そしてこの蒸発器による冷却作用で貯蔵室６内は冷凍温度に冷却される。従って、貯蔵室６の内壁面には霜が成長することになる。
【００１５】
一方、上扉２は樹脂製の上板１２と、樹脂若しくは金属製の下板１３とこれら両板１２、１３間に挿入された断熱材１４とから構成されており、下扉３も基本的には同様の構造である。この場合、上扉２の上板１２には長辺方向の両側部に手掛部１６、１６が凹陥形成され、それに対応する部分の断熱材１４にも凹陥部１５、１５が形成されている。また、上扉２の下面となる下板１３には霜除去用のヘラ１７を着脱自在に保持するための保持部１８が凹陥形成され、それに対応する部分の断熱材１４にも凹陥部１９が形成されている。
【００１６】
以上の構成で、ヘラ１７は常には上扉２の保持部１８に着脱自在に嵌合保持されている。この状態でヘラ１７は上扉２の下板１３より下方に突出しない。この状態で例えば上扉２を開ける際には、手掛部１６に手指を掛けて上扉２を上レール７上で移動させる。そして、開口の約半分が開放されたとき、下扉３は上扉２の下側に位置することになる。このとき、ヘラ１７は上扉２の下板１３より下方に突出していないので、下扉３にヘラ１７が当たって上扉２が摺動できなくなる不都合も生じない。
【００１７】
次に、貯蔵室６の内壁面に成長した霜を除去する際には、上扉２を外して裏返し、ヘラ１７を保持部１８から取り外す。そして、このヘラ１７を用いて着霜を掻き落とす。そして、使い終わったヘラ１７は再び上扉２の保持部１８に嵌合して保持される。このように、上扉２の下面に霜除去用のヘラ１７を着脱自在に保持する保持部１８を形成したので、ヘラ１７を使用しないときには、上扉２の下面の保持部１８に保持させて置くことができるようになり、紛失してしまう不都合を未然に回避することが可能となる。
【００１８】
特に、保持部１８にヘラ１７を保持させた際、上扉２の下面よりもヘラ１７は下方に突出しないようにしたので、実施例の如く上扉２の下面に保持部１８を形成した場合にも、何れかの扉２、３を開いた際、下扉３はヘラに当たること無く上扉２の下側に移動でき、扉の開閉にも支障を来さない。
【００１９】
尚、上記実施例では上扉２に保持部１８を形成したが、下扉３に形成してもよい。
【００２０】
次に、図９及び図１０を参照して本発明の実施例を更に説明する。尚、この図では上扉２、下扉３以外の構成は示さないが、図１乃至図４と同様とする。また、この場合の上扉２及び下扉３の下面にもヘラ１７の保持部１８が形成されているものとする。そして、この場合上扉２と下扉３は同一の扉である。
【００２１】
即ち、上扉２と下扉３は同一形状の扉を９０度向きを変えて使用している。この場合、上扉２（下扉３も同様）は矩形状を呈しており、その長辺の寸法Ｌ１は上レール７に取付可能な寸法に設定され、短辺の寸法Ｌ２は下レール８に取付可能な寸法に設定されている。これにより、上扉２として使用する場合には長辺を移動方向とは直交する方向として上レール７に取り付け、下扉３として使用する場合にはこれとは９０度向きを変え、短辺を移動方向とは直交する方向として下レール８に取り付けることができる。
【００２２】
また、断熱箱体４の上レール７の一側から下レール８の他側までの寸法をＬ３とすると、Ｌ１＋Ｌ２＞Ｌ３の関係とされている。これにより、上扉２と下扉３を上述の如く上レール７と下レール８に取り付けた状態で、上扉２の一側を上レール７の一側に当て、下扉３の他側を下レール８の他側に当てた状態で、図１０に示すように上扉２の他側の下側に下扉３の一側が重複するかたちとなる。従って、同一形状のものを９０度向きを変えただけの両扉２、３により、断熱箱体４の上面開口が開閉自在に閉塞されるようになる。
【００２３】
係る構成としたことで、上扉２と下扉３として同一の扉を使用し、それらの向きを９０度変更するだけで断熱箱体４の上面開口を開閉自在に閉塞することができるようになり、扉にかかる生産コストの著しい削減を図ることができるようになる。
【００２４】
また、上扉２（下扉３）の上面にはその全周に渡って手掛部１６が形成されている。これにより、上扉２と下扉３の何れに使用されたとしても、それらの向きに係わらず手掛部１６はその移動方向に位置する両側に位置することになり、係る手掛部１６に手を掛けて支障無く開閉することができるようになる。
【図面の簡単な説明】
【００２５】
【図１】本発明を適用した冷却庫の実施例としての冷凍ストッカーの斜視図である。
【図２】図１の冷凍ストッカーの後方斜視図である。
【図３】図１の冷凍ストッカーの縦断正面図である。
【図４】図１の冷凍ストッカーの縦断側面図である。
【図５】図１の冷凍ストッカーの上扉の裏面斜視図である。
【図６】図５の上扉の縦断側面図である。
【図７】図５の上扉の縦断正面図である。
【図８】図５の上扉の分解裏面斜視図である。
【図９】本発明の実施例の上扉と下扉の斜視図である。
【図１０】図９の上扉と下扉を上レールと下レールに取り付けた状態を示す斜視図である。
【符号の説明】
【００２６】
１  冷凍ストッカー（冷却庫）
２  上扉
３  下扉
４  断熱箱体
６  貯蔵室
７  上レール
８  下レール
１６  手掛部
１７  ヘラ
１８  保持部
【図１】
0004425234.tif 000002
【図２】
0004425234.tif 000003
【図３】
0004425234.tif 000004
【図４】
0004425234.tif 000005
【図５】
0004425234.tif 000006
【図６】
0004425234.tif 000007
【図７】
0004425234.tif 000008
【図８】
0004425234.tif 000009
【図９】
0004425234.tif 000010
【図１０】
0004425234.tif 000011